(57)【特許請求の範囲】
【請求項１】
シートの搬送経路が設けられた空間部を囲む枠体と、
前記空間部を開放する位置と閉じる位置との間で揺動変位する第１カバーと、
前記枠体より前記空間部の中央側にずれた位置に設けられ、前記第１カバーを前記枠体に対して揺動可能とする第１ヒンジ部と、
前記空間部を開放する位置と閉じる位置との間で揺動変位するとともに、前記第１カバーと隣接して前記第１ヒンジ部側に設けられた第２カバーと、
前記第２カバーに対して前記第１ヒンジ部と反対側に設けられ、前記第２カバーを前記枠体に対して揺動可能とするとともに、前記第１ヒンジ部の揺動中心線と平行な揺動中心線を有する第２ヒンジ部と、
前記第１カバーのうち前記第１ヒンジ部側に設けられ、前記第１カバー及び前記第２カバーが閉じているときに、前記第２カバーの裏面に接触することにより、前記第１カバーの表面に対する前記第２カバーの表面の位置を決める位置決め部と
を備えることを特徴とするシート搬送装置。
【請求項２】
前記枠体が揺動可能に組み付けられたベース部材と、
前記第２カバーが前記枠体に対して揺動することを規制する揺動規制部と
を備えることを特徴とする請求項１にシート搬送装置。
【請求項３】
前記揺動規制部は、
前記第２カバーに設けられ、前記第２カバーが閉じているときに前記第１カバーと接触して係合するとともに、前記揺動中心線と平行な回転中心線に対して回転可能なコロ、及び
前記コロを前記第１カバーに押圧する押圧部材を有して構成されており、
さらに、前記コロは、前記第２カバーが閉じている状態で前記第１カバーが開いたときに、前記第１カバーの表面と接触しながら回転することを特徴とする請求項２に記載のシート搬送装置。
【請求項４】
前記揺動規制部は、
前記第２カバーに設けられ、前記第２カバーが閉じているときに前記第１カバーと接触して係合する係合部、及び
前記係合部を前記第１カバーに押圧する押圧部材を有して構成されており、
さらに、前記係合部には、前記第２カバーが閉じている状態で前記第１カバーが開いたときに、前記第１カバーの表面と摺接させるための滑り部が設けられていることを特徴とする請求項２に記載のシート搬送装置。
【請求項５】
前記第２カバーに設けられ、前記揺動中心線と平行な回転中心線に対して回転可能なコロとを備え、
前記コロは、前記第２カバーが閉じている状態で前記第１カバーが開いたときに、前記第１カバーの表面と接触しながら回転することを特徴とする請求項１に記載のシート搬送装置。
【請求項６】
前記第２カバーに設けられ、前記第２カバーが閉じている状態で前記第１カバーが開いたときに、前記第１カバーの表面と摺接させるための滑り部を備えることを特徴とする請求項１に記載のシート搬送装置。
【請求項７】
前記第２カバーは、開いた状態においては、前記搬送経路に搬送されるシートが載置されるトレイを開放し、
前記第１カバーは、開いた状態においては、前記搬送経路を開放することを特徴とする請求項１ないし６のいずれか１項に記載のシート搬送装置。
【請求項８】
前記第２カバーは、開いた状態において、前記トレイ上に載置されたシートを前記トレイと共に保持可能であることを特徴とする請求項７に記載のシート搬送装置。
【発明の詳細な説明】
【技術分野】
【０００１】
本発明は、シートを搬送するためのシート搬送装置に関するものである。
【背景技術】
【０００２】
シート搬送装置に設けられた搬送経路は、例えば、特許文献１に開示されているように、通常、カバー等により覆われている。カバーを開くことで搬送経路を開放することができる。
【先行技術文献】
【特許文献】
【０００３】
【特許文献１】特開２０１０−４５６９５号公報
【発明の概要】
【発明が解決しようとする課題】
【０００４】
ところで、カバーは、ヒンジを介して枠体等の装置本体に組み付けられているが、特許文献１に記載の発明のごとく、ヒンジ部を、例えば、装置本体の外壁を構成する側壁等の枠体に組み付ける構成とすると、装置本体の外観意匠面を阻害するおそれがある。
【０００５】
すなわち、ヒンジ部を枠体に組み付けた場合には、枠体に以下の機能等を確保する必要があるので、枠体の外周面に凹凸を設けざるを得なくなり、外観意匠面を阻害するおそれがある。ここで、上記機能等とは、（ａ）ヒンジ部を収納する機能、及び（ｂ）カバーの揺動領域を確保するためスペースを枠体に確保すること等である。
【０００６】
また、外観意匠面から上記凹凸を排除するためには、枠体又は装置本体を大きくして上記凹凸が目立たなくする必要があるが、この解決手段では、好ましい解決手段とは言い難い。
【０００７】
本発明は、上記点に鑑み、シート搬送装置の大型化を抑制しつつ、外観意匠面が阻害されてしまうことを抑制できる技術を提供することを目的とする。
【課題を解決するための手段】
【０００８】
本発明は、上記目的を達成するために、請求項１に記載の発明では、シートの搬送経路（Ｌｏ）が設けられた空間部（３Ａ）を囲む枠体（３）と、空間部（３Ａ）を開放する位置と閉じる位置との間で揺動変位する第１カバー（１７）と、枠体（３）より空間部（３Ａ）の中央側にずれた位置に設けられ、第１カバー（１７）を枠体（３）に対して揺動可能とする第１ヒンジ部（１７Ａ）と、空間部（３Ａ）を開放する位置と閉じる位置との間で揺動変位するとともに、第１カバー（１７）と隣接して第１ヒンジ部（１７Ａ）側に設けられた第２カバー（１５）と、第２カバー（１５）に対して第１ヒンジ部（１７Ａ）と反対側に設けられ、第２カバー（１５）を枠体（３）に対して揺動可能とするとともに、第１ヒンジ部（１７Ａ）の揺動中心線と平行な揺動中心線を有する第２ヒンジ部（１５Ａ）と、第１カバー（１７）のうち第１ヒンジ部（１７Ａ）側に設けられ、第１カバー及び第２カバー（１５）が閉じているときに、第２カバー（１５）の裏面に接触することにより、第１カバー（１７）の表面（１７Ｅ）に対する第２カバー（１５）の表面（１５Ｆ）の位置を決める位置決め部（１７Ｆ）とを備えることを特徴とする。
【０００９】
これにより、請求項１に記載の発明では、第１ヒンジ部（１７Ａ）及び第２ヒンジ部（１５Ａ）が枠体（３）により囲まれた空間部（３Ａ）内に位置することとなるので、枠体（３）の外周面に凹凸を設ける必要がなく、外観意匠面を阻害することはない。
【００１０】
さらに、請求項１に記載の発明では、第１カバー（１７）の表面（１７Ｅ）に対する第２カバー（１５）の表面（１５Ｆ）の位置は、主に第１カバー（１７）及び第２カバー（１５）の製造公差により決定されるので、組み付け精度の影響を小さくすることができる。
【００１１】
このため、第１カバー及び第２カバー（１５）が閉じているときに、第１カバー（１７）の表面（１７Ｅ）と第２カバー（１５）の表面（１５Ｆ）との間に生じる段差を小さくすることができる。
【００１２】
したがって、組立工数の増大を招くことなく、第１カバー及び第２カバー（１５）が閉じているときの外観意匠面を良好なものとすることができる。なお、従来技術では、外観意匠面を良好なものとすべく、組み付け精度の影響を小さくするためには、組み付け精度を向上させる必要があるので、組立工数の増大を招くおそれが高い。
【００１３】
因みに、第１カバー（１７）の表面（１７Ｅ）及び第２カバー（１５）の表面（１５Ｆ）とは、両カバー（１５、１７）が閉じているときに外観意匠面を構成する面をいい、第２カバー（１５）の裏面とは、第２カバー（１５）の表面（１５Ｆ）と反対側の面をいう。
【００１４】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１５】
【図１】本発明の実施形態に係る画像読取装置１の外観斜視図である。
【図２】画像読取装置１が、本発明の実施形態に係る揺動規制部１９に相当する構成を備えない場合において、枠体３を開いた際に、サブトレイカバー１５が開いてしまうという問題を説明するための説明図である。
【図３】本発明の実施形態に係る画像読取装置１において、ジャム処理カバー１７及びサブトレイカバー１５を開いた状態を示す図である。
【図４】本発明の実施形態に係る画像読取装置１の中央断面図である。
【図５】本発明の実施形態に係る画像読取装置１の中央断面図である。
【図６】ジャム処理カバー１７及びサブトレイカバー１５を開いた状態を示す図である。
【図７】（ａ）〜（ｃ）はジャム処理カバー１７及びサブトレイカバー１５を開いた状態を示す図である。
【図８】（ａ）はサブトレイカバー１７の斜視図であり、（ｂ）は揺動規制部１９の断面図である。
【図９】（ａ）〜（ｄ）はジャム処理カバー１７及びサブトレイカバー１５を開いた状態を示す図である。
【図１０】揺動規制部１９の外観斜視図である。
【発明を実施するための形態】
【００１６】
以下に説明する発明の実施形態は、本発明の実施形態の一例を示すものである。つまり、本発明係る発明特定事項等は、下記の実施形態に示された具体的手段や構造等に限定されるものではない。
【００１７】
そして、本実施形態は、画像読取装置に用いられるオートドキュメントフィーダ等の原稿搬送装置に本発明を適用したものである。以下、発明の実施形態を図面と共に説明する。
【００１８】
（第１実施形態）
１．画像読取装置の構成
本実形態に係る画像読取装置は、原稿搬送装置を用いた自動読取機能、及び静止載置された原稿に記載された画像を読み取る静止原稿読取機能を兼ね備えた画像読取装置である。
【００１９】
画像読取装置１は、図１に示すように、矩形枠状の枠体３及び枠体３の下方側に配設された本体部５等を有して構成されている。そして、枠体３は、図２に示すように、本体部５に揺動可能に組み付けられている。なお、図２では、枠体３を本体部５に揺動可能に連結するヒンジ部は省略されている。
【００２０】
また、図２において画像読取装置１は、後述する揺動規制部１９を備えてない。このため、図２に示す画像読取装置１では、枠体３が本体部５に対する揺動すると、これに伴って、図２に示すように、サブトレイカバー１５が開いてしまう。
【００２１】
しかし、本実施形態に係る画像読取装置１は、揺動規制部１９を備えているため、後述するように、枠体３が本体部５に対する揺動した場合であっても、サブトレイカバー１５が開いてしまうことを防ぐことができる。
【００２２】
また、枠体３は、図３に示すように、原稿の搬送経路が設けられた空間部３Ａを囲むとともに、画像読取装置１の外周枠の一部を構成するフレームの一種である。そして、空間部３Ａ内には、図４に示すように、搬送経路Ｌｏに沿って原稿を搬送する原稿搬送装置７が設けられている。
【００２３】
原稿搬送装置７は、原稿トレイ９に載置されている原稿を読取部１１に搬送する。そして、本実施形態に係る原稿搬送装置７は、原稿トレイ９に載置されている１枚又は複数枚の原稿を１枚ずつ読取部１１に搬送する分離機能を有している。
【００２４】
なお、読取部１１は、原稿を支持する透明なプラテン１１Ａ、及びプラテン１１Ａを挟んで搬送されてくる原稿と反対側に位置する撮像素子１１Ｂ等を有して構成されている。  そして、読取部１１は、原稿搬送装置７により原稿トレイ１９から搬送されてきた原稿を読み取ることができる。
【００２５】
さらに、読取部１１は、プラテン１１Ａに載置された原稿を読み取ることもできる。因みに、プラテン１１Ａは、枠体３を本体部５から離隔させるように本体部５に対して揺動させるとことにより、原稿を載置することができる程度に露出される。
【００２６】
また、分離機能は、吸引ローラ７Ａ、分離ローラ７Ｂ、及び分離パッド７Ｃ等を有して構成されている。吸引ローラ７Ａは、原稿トレイ９に載置されている１枚又は複数枚の原稿を読取部１１側に送り込む吸引部である。
【００２７】
分離ローラ７Ｂは、吸引ローラ７Ａから送り込まれた１枚又は複数枚の原稿のうち、吸引ローラ７Ａと同一側から原稿に接触して原稿に搬送力を付与する。なお、本実施形態において、１枚又は複数枚の原稿のうち吸引ローラ７Ａと同一側とは、１枚の原稿にあっては当該原稿の下面をいう。また、本実施形態において、１枚又は複数枚の原稿のうち吸引ローラ７Ａと同一側とは、複数枚の原稿にあっては、上下方向に積層した複数枚の原稿のうち下端に位置する原稿の下面をいう。
【００２８】
分離パッド７Ｃは、分離ローラ７Ｂに対して対向する位置に配設されて分離ローラ７Ｂと反対側から原稿に接触して搬送抵抗を付与する。そして、分離パッド７Ｃ及び分離ローラ７Ｂにより分離部が構成されている。
【００２９】
因みに、第１搬送ローラ７Ｄは分離部から排出された原稿を読取部１１に搬送する。加圧ローラ７Ｅは原稿を第１搬送ローラ７Ｄに押圧する。第２搬送ローラ７Ｆは、読取部１１を通過した原稿の搬送方向を上方側に約１８０度転向させながら、原稿を排出部１３に向けて搬送する。
【００３０】
但し、本実施形態に係る画像読取装置１において、自動読取にて原稿の読み取りを実行する際には、図５に示すように、サブトレイカバー１５が開かれた状態として原稿トレイ９の上方側を解放する必要がある。
【００３１】
すなわち、サブトレイカバー１５は、空間部３Ａを開放する位置と閉じる位置との間で揺動変位するカバーである。そして、サブトレイカバー１５は、空間部３Ａのうち、特に、排出部１３より下流側の搬送経路Ｌｏ及び原稿トレイ９の上方側の空間を開閉する。
【００３２】
なお、以下、図４に示す状態をサブトレイカバー１５が閉じた状態といい、図５に示す状態をサブトレイカバー１５が開いた状態という。
そして、サブトレイカバー１５が開いた状態においては、サブトレイカバー１５は原稿トレイ９と協働して原稿トレイ９上に載置された原稿を保持するトレイとして機能する。一方、サブトレイカバー１５が閉じた状態においては、排出部１３より下流側の搬送経路Ｌｏ及び原稿トレイ９の上方側の空間は、サブトレイカバー１５により覆われる。
【００３３】
また、ジャム処理カバー１７は、図３に示すように、空間部３Ａを開放する位置と閉じる位置との間で揺動変位するカバーである。そして、ジャム処理カバー１７は、空間部３Ａのうち、特に、原稿搬送方向において排出部１３を挟んで原稿トレイ９と反対側の空間を開閉する。因みに、本実施形態における原稿搬送方向は、水平方向のうち図４の左右方向と一致する。
【００３４】
このため、図３に示すようにジャム処理カバー１７が開いた状態では、搬送経路Ｌｏの少なくとも一部が開放された状態となる。具体的には、ジャム処理カバー１７が開いた状態では、搬送経路Ｌｏのうち第２搬送ローラ７Ｆから排出部１３に至る経路が解放された状態となる。一方、ジャム処理カバー１７が閉じた状態となると、図４に示すように、搬送経路Ｌｏのうち第２搬送ローラ７Ｆから排出部１３に至る経路がジャム処理カバー１７により覆われた状態となる。
【００３５】
なお、本実施形態では、ジャム処理カバー１７の開閉及びサブトレイカバー１５の開閉は、必要に応じてユーザが手動操作にて行う必要がある。つまり、ユーザは、原稿の読み取りを行う場合には、図５に示すように、サブトレイカバー１５を開いた状態とする必要がある。
【００３６】
また、例えば搬送経路Ｌｏのうち第２搬送ローラ７Ｆから排出部１３に至る経路にて原稿が詰まった場合には、ユーザはジャム処理カバー１７を開いた状態として原稿を除去する必要がある。
【００３７】
２．ジャム処理カバー及びサブトレイカバーの詳細構造
ジャム処理カバー１７は、図５に示すように、第１ヒンジ部１７Ａを介して枠体３に対して揺動可能に組み付けられている。そして、第１ヒンジ部１７Ａは、枠体３より空間部３Ａの中央側にずれた位置に設けられている。具体的には、第１ヒンジ部１７Ａは、空間部３Ａ内のうち、図５の左端側から原稿搬送方向において原稿トレイ９側ずれた位置に設けられている。
【００３８】
そして、第１ヒンジ部１７Ａは、揺動中心軸線が原稿搬送方向及び原稿の厚み方向に直交する方向と平行となるように設定されている。このため、本実施形態では、第１ヒンジ部１７Ａの揺動中心軸線は、画像読取装置１の前後方向、つまり図５の紙面垂直方向と一致する。
【００３９】
また、ジャム処理カバー１７は、図６に示すように、矩形板状のカバー本体１７Ｂ、及び一対のフレーム体１７Ｃ等を有して構成されている。一対のフレーム体１７Ｃは、図７に示すように、カバー本体１７Ｂのうち空間部３Ａ側に面する部位から空間部３Ａ側に突出するとともに、カバー本体１７Ｂと平行、かつ、揺動中心軸線と直交する方向に連続的に連なる壁面を有する帯板状の突条である。
【００４０】
また、一対のフレーム体１７Ｃは、カバー本体１７Ｂのうち揺動中心軸線と平行な方向両端側に設けられている。以下、揺動中心軸線と平行な方向を幅方向ともいう。そして、一対のフレーム体１７Ｃのうちサブトレイカバー１５側には嵌合穴１７Ｄが設けられている。一方、枠体３の内壁面には、当該内壁面からフレーム体１７Ｃ側に突出した円柱状のボス部が回転可能に嵌め込まれている。因みに、図７等においては、枠体３及び前記ボス部は図示されていない。
【００４１】
つまり、本実施形態では、嵌合穴１７Ｄ及び前記ボス部により第１ヒンジ部１７Ａが構成されている。また、揺動中心軸線は、前記ボス部の中心線又は嵌合穴１７Ｄの中心線と一致する。
【００４２】
また、サブトレイカバー１５は、図５に示すように、第２ヒンジ部１５Ａを介して枠体３に対して揺動可能に組み付けられている。そして、第２ヒンジ部１５Ａは、サブトレイカバー１５に対して第１ヒンジ部１７Ａと反対側に設けられている。
【００４３】
つまり、サブトレイカバー１５は、図４に示すように、閉じた状態においては、原稿搬送方向に沿って直列に並ぶようにジャム処理カバー１７に隣接している。そして、第２ヒンジ部１５Ａは、その揺動中心軸線が第１ヒンジ部１７Ａの揺動中心軸線と平行となるように、サブトレイカバー１５のうち第１ヒンジ部１７Ａと反対側の端部側に設けられている。
【００４４】
また、サブトレイカバー１５は、図８（ａ）に示すように、矩形板状のカバー本体１５Ｂ、及びカバー本体１５Ｂのうち原稿トレイ９側に面する部位から原稿トレイ９側に突出した複数のリブ状の突条１５Ｃや枠部１５Ｄ等を有して構成されている。
【００４５】
そして、枠部１５Ｄのうち第１ヒンジ部１７Ａと反対側であって、枠体３の内壁に面する部位、つまり幅方向両端部に位置する枠部１５Ｄそれぞれには、枠部１５Ｄから枠体３側に突出する円柱状のボス部１５Ｅが設けられている。一方、枠体３には、各ボス部１５Ｅが回転可能に嵌り込む嵌合穴が設けられている。因みに、図８（ａ）等においては、枠体３及び前記嵌合穴は図示されていない。
【００４６】
つまり、本実施形態では、前記嵌合穴及びボス部１５Ｅにより第２ヒンジ部１５Ａが構成されている。また、揺動中心軸線は、ボス部１５Ｅの中心線又は前記嵌合穴の中心線と一致する。
【００４７】
また、サブトレイカバー１５のうちジャム処理カバー１７側の端部には、図８（ｂ）に示すように、サブトレイカバー１５が枠体３に対して揺動すること、つまり図２に示すようにサブトレイカバー１５が開くことを規制する揺動規制部１９が設けられている。
【００４８】
揺動規制部１９は、コロ１９Ａ、コイルバネ１９Ｂ、ホルダケース１９Ｃ及びホルダ１９Ｄ等を有して構成されている。コロ１９Ａは、第１ヒンジ部１７Ａの揺動中心線と平行な回転中心線に対して回転可能な転動体である。
【００４９】
コイルバネ１９Ｂは、コロ１９Ａをジャム処理カバー１７に押圧する弾性力を発揮する押圧部材である。ホルダケース１９Ｃはコイルバネ１９Ｂを収納する。ホルダ１９Ｄは、コロ１９Ａを回転可能に支持するとともに、ホルダケース１９Ｃに出没可能に収納されている。
【００５０】
このため、コロ１９Ａは、図７（ａ）〜（ｃ）又は図９（ａ）〜（ｃ）に示すように、コイルバネ１９Ｂの伸縮に応じてホルダケース１９Ｃから出没する。具体的には、以下に示すようにコロ１９Ａは、ホルダケース１９Ｃから出没する。
【００５１】
すなわち、図７（ａ）又は図９（ａ）に示すように、両カバー１５、１７が閉じられている場合には、次のような状態となる。そして、この状態では、コロ１９Ａがカバー本体１７Ｂより図３において示した空間部３Ａ内に位置する。つまり、コロ１９Ａがカバー本体１７Ｂの裏面側に位置する。この位置において、コロ１９Ａは、ジャム処理カバー１７の裏面側に接触してジャム処理カバー１７と係合する。
【００５２】
因みに、ジャム処理カバー１７又はカバー本体１７Ｂの裏面側とは、ジャム処理カバー１７が閉じた状態において、空間部３Ａや搬送経路Ｌｏ側に面する面をいう。一方、ジャム処理カバー１７又はカバー本体１７Ｂの表面側とは、ジャム処理カバー１７が閉じた状態において、画像読取装置１の外観意匠面を構成する面をいう。
【００５３】
同様に、サブトレイカバー１５又はカバー本体１５Ｂの裏面側とは、サブトレイカバー１５が閉じた状態において、空間部３Ａや原稿トレイ９側に面する面をいう。一方、サブトレイカバー１５又はカバー本体１５Ｂの表面側とは、サブトレイカバー１５が閉じた状態において、画像読取装置１の外観意匠面を構成する面をいう。
【００５４】
そして、図７（ａ）に示すサブトレイカバー１５が閉じている状態でジャム処理カバー１７が開かれると、図７（ｂ）→図７（ｃ）の順に示されるように、コロ１９Ａは、ジャム処理カバー１７の表面１７Ｅと接触しながら回転して表面１７Ｅ上を移動していく。
【００５５】
つまり、サブトレイカバー１５が閉じた状態においては、図７（ａ）に示すように、ジャム処理カバー１７のうち嵌合穴１７Ｄが設けられた部位の上方側をサブトレイカバー１５にて覆うような状態となる。
【００５６】
そして、サブトレイカバー１５が閉じている状態でジャム処理カバー１７が開かれると、これに連動してジャム処理カバー１７のうちサブトレイカバー１５より下方側にある部分が上方側に変位する。
【００５７】
このため、サブトレイカバー１５は、ジャム処理カバー１７によって裏面側から押圧されることとなるので、図７（ｂ）に示すように、コロ１９Ａがジャム処理カバー１７の表面に乗り上げるようにサブトレイカバー１５も開く。そして、ジャム処理カバー１７が更に大きく開かれていくと、図７（ｃ）に示すように、コロ１９Ａが表面１７Ｅを転がりながらサブトレイカバー１５も大きく開いていく。
【００５８】
ところで、上述したように、サブトレイカバー１５が閉じた状態においては、図９（ａ）に示すように、ジャム処理カバー１７のうち嵌合穴１７Ｄが設けられた部位の上方側をサブトレイカバー１５にて覆うような状態となる。
【００５９】
そこで、本実施形態では、ジャム処理カバー１７のうち第１ヒンジ部１７Ａ側に、両カバー１５、１７が閉じたときに、サブトレイカバー１５の裏面１５Ｇに接触する位置決め部１７Ｆが設けられている。この位置決め部１７Ｆは、図９（ｄ）に示すように、サブトレイカバー１５の裏面１５Ｇに接触することにより、ジャム処理カバー１７の表面１７Ｅに対するサブトレイカバー１５の表面１５Ｆの位置を決める。
【００６０】
なお、本実施形態では、一対のフレーム体１７Ｃのうちカバー本体１７Ｂからサブトレイカバー１５側に突出した段差部分により位置決め部１７Ｆが構成されている。つまり、本実施形態では、第１ヒンジ部１７Ａを構成する嵌合穴１７Ｄの直上部に位置決め部１７Ｆが設定されている。
【００６１】
３．２．ジャムカバー及びサブトレイカバーの開閉について
原稿の読み取りを行うべく、サブトレイカバー１５のみを開く場合には、図３に示す把持部１５Ｈを把持してサブトレイカバー１５を上方側に開く。これにより、図９（ｂ）に示すように、コロ１９Ａがホルダケース１９Ｃ内に陥没するように移動してコロ１９Ａとジャム処理カバー１７との係合が解除される。
【００６２】
また、例えば搬送経路Ｌｏのうち第２搬送ローラ７Ｆから排出部１３に至る経路にて原稿が詰まった場合には、ジャム処理カバー１７を開いて原稿を除去する必要がある。しかし、上述したように、ジャム処理カバー１７の位置決め部１７Ｆがサブトレイカバー１５により上から覆われた状態となっているので、ジャム処理カバー１７を開くと、図７（ａ）〜図７（ｃ）に示すように、強制的にサブトレイカバー１５も開いてしまう。
【００６３】
したがって、好ましくは、図３に示すように、サブトレイカバー１５を開いた後に、ジャム処理カバー１７の把持部１７Ｈを把持してジャム処理カバー１７を開くことが望ましい。
【００６４】
４．本実施形態に係る画像読取装置の特徴
本実施形態では、第１ヒンジ部１７Ａ及び第２ヒンジ部１５Ａが枠体３により囲まれた空間部３Ａ内に位置することとなる。このため、枠体３の外周面に凹凸を設ける必要がなく、外観意匠面を阻害することはない。
【００６５】
さらに、本実施形態では、ジャム処理カバー１７の表面１７Ｅに対するサブトレイカバー１５の表面１５Ｆの位置は、主にジャム処理カバー１７及びサブトレイカバー１５の部品公差により決定される。
【００６６】
このため、ジャム処理カバー１７の表面１７Ｅに対するサブトレイカバー１５の表面１５Ｆの位置ずれの原因の１つである、組み付け精度の影響を小さくすることができる。したがって、ジャム処理カバー１７及びサブトレイカバー１５が閉じているときに、ジャム処理カバー１７の表面１７Ｅとサブトレイカバー１５の表面１５Ｆとの間に生じる段差を小さくすることができる。
【００６７】
延いては、組立工数の増大を招くことなく、ジャム処理カバー１７及びサブトレイカバー１５が閉じているときの外観意匠面を良好なものとすることができる。
また、本実施形態では、サブトレイカバー１５が枠体３に対して揺動することを規制する揺動規制部１９を備えることを特徴としている。これにより、本実施形態では、図２において示したように、枠体３が揺動した際に、サブトレイカバー１５が開いてしまうことを防止できる。
【００６８】
ところで、サブトレイカバー１５がジャム処理カバー１７に隣接して設けられているので、サブトレイカバー１５が閉じている状態でジャム処理カバー１７が開くと、サブトレイカバー１５の先端側がジャム処理カバー１７の表面１７Ｅに接触してしまう。
【００６９】
そして、両カバー１５、１７が接触すると、外観意匠面を構成するジャム処理カバー１７の表面１７Ｅが損傷してしまうおそれがある。因みに、サブトレイカバー１５の先端側とは、サブトレイカバー１５のうち第１ヒンジ部１７Ａ側の端部をいう。
【００７０】
これに対して、本実施形態では、サブトレイカバー１５が閉じている状態でジャム処理カバー１７が開いたときには、上述したように、コロ１９Ａがジャム処理カバー１７の表面１７Ｅと接触しながら回転する。
【００７１】
したがって、サブトレイカバー１５の先端側がジャム処理カバー１７の表面１７Ｅに接触した場合であっても、ジャム処理カバー１７の表面１７Ｅが損傷してしまうことを抑制できる。
【００７２】
（第２実施形態）
第１実施形態に係る揺動規制部１９は、コロ１９Ａ、コイルバネ１９Ｂ、ホルダケース１９Ｃ及びホルダ１９Ｄ等を有して構成されていたが、本実施形態に係る揺動規制部１９では、図１０に示すように、コロ１９Ａに代えて、ジャム処理カバー１７の表面１７Ｅと摺接可能なシュー１９Ｅをホルダ１９Ｄに一体形成したものである。なお、その他の構成は、第１実施形態と同じである。
【００７３】
これにより、本実施形態では、サブトレイカバー１５が閉じている状態でジャム処理カバー１７が開いたときに、シュー１９Ｅがジャム処理カバー１７の表面１７Ｅを滑りながら接触する。
【００７４】
したがって、本実施形態においても、サブトレイカバー１５の先端側がジャム処理カバー１７の表面１７Ｅに接触した場合であっても、ジャム処理カバー１７の表面１７Ｅが損傷してしまうことを抑制できる。
【００７５】
（その他の実施形態）
上述の実施形態では、揺動規制部１９にコロ１９Ａ又はシュー１９Ｅを設けたが、本発明はこれに限定されるものではなく、コロ１９Ａ又はシュー１９Ｅを揺動規制部１９とは別に設けてもよい。
【００７６】
すなわち、揺動規制部１９は、サブトレイカバー１５が開くことを抑制することを主たる機能とする機構である。一方、コロ１９Ａ又はシュー１９Ｅは、サブトレイカバー１５の先端側がジャム処理カバー１７の表面１７Ｅに接触した場合にジャム処理カバー１７の表面１７Ｅが損傷することを抑制することを主たる機能とする機構である。したがって、本発明では、上記２つの機能をそれぞれ別々の機構にて実現してもよい。
【００７７】
また、上述の実施形態では、画像読取装置１の原稿搬送装置に本発明に係るシート搬送装置を適用したが、本発明はこれに限定されるものではなく、例えば画像読取装置、又は画像形成装置に適用することができる。
【００７８】
また、上述の実施形態では、ボス部と嵌合穴により第１ヒンジ部１７Ａ及び第２ヒンジ部１５Ａを構成したが、本発明はこれに限定されるものではない。
また、上述の実施形態では、一対のフレーム体１７Ｃのうちカバー本体１７Ｂからサブトレイカバー１５側に突出した段差部分により位置決め部１７Ｆが構成されていたが、本発明はこれに限定されるものではなく、例えば、別途、位置決め部１７Ｆのための段差部を設けてもよい。
【００７９】
また、第２実施形態では、ジャム処理カバー１７の表面１７Ｅと摺接可能なシュー１９Ｅをホルダ１９Ｄに一体形成したが、本発明はこれに限定されるものではなく、シュー１９Ｅをホルダ１９Ｄと別部品としてもよい。
また、上述の実施形態では、一対のフレーム体１７Ｃのうちサブトレイカバー１５側には嵌合穴１７Ｄが設けられている。しかし、これに限らず、例えば、嵌合穴は、一対のフレーム体のうちジャム処理カバー側に設けられていてもよい。
【００８０】
すなわち、ジャム処理カバー１７の揺動中心軸線は、上述の実施形態のように、サブトレイカバー１５側に設けられる必要はなく、例えば、ジャム処理カバー１７側に設けられてもよい。
【００８１】
また、本発明は、特許請求の範囲に記載された発明の趣旨に合致するものであればよく、上述の実施形態に限定されるものではない。
【符号の説明】
【００８２】
１… 画像読取装置、３… 枠体、３Ａ… 空間部、５… 本体部、７… 原稿搬送装置、
７Ａ… 吸引ローラ、７Ｂ… 分離ローラ、７Ｃ… 分離パッド、７Ｄ… 第１搬送ローラ、
７Ｅ… 加圧ローラ、７Ｆ… 第２搬送ローラ、８Ｂ… 分離ローラ、９… 原稿トレイ、
１１… 読取部、１１Ａ… プラテン、１３… 排出部、１５… サブトレイカバー、
１５Ａ… 第２ヒンジ部、１５Ｂ… カバー本体、１５Ｃ… 突条、１５Ｄ… 枠部、
１５Ｅ… ボス部、１５Ｈ… 把持部、１７… ジャム処理カバー、
１７Ａ… 第１ヒンジ部、１７Ｂ… カバー本体、１７Ｃ… フレーム体、
１７Ｄ… 嵌合穴、１７Ｆ… 位置決め部、１７Ｈ… 把持部、１９… 揺動規制部、
１９Ａ… コロ、１９Ｂ… コイルバネ、１９Ｃ… ホルダケース、
１９Ｄ… ホルダ、１９Ｅ… シュー。
【図１】
0005741329.tif 000002
【図２】
0005741329.tif 000003
【図３】
0005741329.tif 000004
【図４】
0005741329.tif 000005
【図５】
0005741329.tif 000006
【図６】
0005741329.tif 000007
【図７】
0005741329.tif 000008
【図８】
0005741329.tif 000009
【図９】
0005741329.tif 000010
【図１０】
0005741329.tif 000011